(57)【要約】【課題】中小企業等は安価な費用でタレント等を起用して広告宣伝活動を行い、タレント等は通常の活動以外にインターネット上で活動の機会が得られるようにする。【解決手段】タレントに関するデータを配置したタレントデータベース１７を備え、上記タレントをＣＭキャラクターとして、インターネット１２を通じて、主として中小企業等１４に売り込む代理店１３が属するサーバー側コンピューターと、インターネットを通じて上記サーバー側コンピューターにアクセスし、自社の広告宣伝のために上記タレントから選ばれた任意のタレントのデータを自社のホームページ１５にアップロードするクライアント側コンピューターとから構成される中小企業の広告活動支援システム。【選択図】          図１Ａ
2011090644.tif 000002
【特許請求の範囲】
【請求項１】
タレントに関する情報をデータの形で配置したタレントデータベースを備え、上記のタレントをＣＭキャラクターとして、インターネットを通じて、主として中小企業に売り込む代理店が属するサーバー側コンピューターと、
インターネットを通じて上記サーバー側コンピューターにアクセスし、自社の広告宣伝のために上記タレントから選ばれた任意のタレントのデータを自社のホームページにアップロードするクライアント側コンピューターとから構成される
中小企業の広告活動支援システム。
【請求項２】
サーバー側コンピューターは、タレント動画データベース、タレントブログデータベース又は電子商取引データベースの中から選ばれた１又は２以上のデータベースを備えている請求項１記載の中小企業の広告活動支援システム。
【請求項３】
サーバー側コンピューターは、タレントの出演価格情報、営業上の秘密に属する特別情報をデータベースに含んでおり、認証番号によって管理されたクライアント側コンピューターからアクセスして来た中小企業のみに限定的に、上記出演価格情報又は特別情報を公表する構成を備えている請求項１記載の中小企業の広告活動支援システム。
【発明の詳細な説明】
【技術分野】
【０００１】
本発明は、主として、中小企業の広告活動支援システムに関するものである。
【背景技術】
【０００２】
現在、日本全国にはいわゆる中小企業に分類される企業が約４００万社存在するというデータがあり、これらの企業、特に零細企業に分類される企業（以下、総称して中小企業等という。）では、資力不足によって十分な広告宣伝活動を展開することができない状況にあるといわれている。優れた製品或いは商品を有している中小企業等は少なくないにも拘らず、資力不足のために営業成績が向上しないという状況は好ましいものではない。
【０００３】
これに対して、いまだ名前や顔が知れ渡るに至っていないタレントや芸能人（以下、単にタレント等という。）の活用の問題がある。この問題は、テレビジョン放送に関する番組視聴率の低迷に端を発する問題の一つであると認識されており、視聴率が低下し続けてテレビジョン番組関連の経済活動が今以上に衰退に向かうことになれば、コマーシャルの受注も減少の途をたどることが予測される。その結果、有名、著名なタレント等は別として、これまでは需要のあった上記タレント等に対する需要も減少傾向となり、新たな活用の道を開くことが今後の重要な問題になると考えられる。
【０００４】
このような状況及び問題の解決につながるビジネスモデルとして、タレント等のブログを集積し、何らかのプロモーションを行う営業活動の例をインターネット上に見ることはあるが、散発的であり、また、それが経済的にどの程度の実績を上げているかどうかその実態は不明である。本件の発明者は、上記の実状と前記の中小企業等の置かれた状況及びタレント等に今後起こる可能性の高い上記問題の解決のために、主として中小企業等を対象としてこれに上記タレント等の活用問題を結び付ける新たな広告宣伝ビジネスについて鋭意研究を進め、その結果、本発明を創造するに到ったものである。
【発明の開示】
【発明が解決しようとする課題】
【０００５】
本発明は前記の実情に基づいてなされたもので、その課題は、中小企業等が安価な費用でタレント等を起用し、広告宣伝活動を行うことができるとともに、タレント側は通常の活動以外にインターネット上で活動の機会が得られるという、相互に利益を共有し合う広告活動支援システムを提供することである。また、本発明の他の課題は、インターネット上における広告活動支援システムを通じて、中小企業等のみならずインターネットユーザーが広くクライアントの商品やタレント等に興味を抱く機会を作り出し、上記商品に関する購買意欲を喚起することである。
【課題を解決するための手段】
【０００６】
前記の課題を解決するため、本発明は、タレントに関する情報をデータの形で配置したタレントデータベースを備え、上記のタレントをＣＭキャラクターとして、インターネットを通じて、主として中小企業に売り込む代理店が属するサーバー側コンピューターと、
インターネットを通じて上記サーバー側コンピューターにアクセスし、自社の広告宣伝のために上記タレントから選ばれた任意のタレントのデータを自社のホームページにアップロードするクライアント側コンピューターによって、中小企業等の広告活動支援システムを構成するという手段を講じたものである。
【０００７】
本発明の広告活動支援システムは、前述したとおり主として中小企業等を対象とし、それにいまだ名前や顔が知れ渡るに至っていないタレント等の活用を組み合わせるもので、これによって新たな広告宣伝ビジネスの展開を図る。なお、タレントデータはタレント等の属するタレント事務所からもたらされるが、そのタレントデータをタレント事務所から代理店に提供する方法についてはインターネットを用いても良いし、また、それ以外の任意の通信手段を用いても良い。
【０００８】
従って、本発明のシステムは、まず、複数人のタレントをデータの形で配置したタレントデータベースを備えている必要がある。このタレントデータベースは上記のタレント等をＣＭキャラクターとして売り込むために必要となる、タレント等の容姿や特徴などの情報（データ）を記憶しているもので、例えば写真、似顔絵、動画などの外見上の情報、或いは年齢や特技その他の内面的な情報を内容とする必須不可欠のいわば基礎的なデータから成る。上記タレントデータベースの情報は、タレント等を売り込む相手である中小企業等に知らせる目的を有しており、本発明のシステム上必須の要件である。上記以外の付加的なデータも含み得るが、それらのデータは必要に応じて使用する任意の要件である。
【０００９】
タレントデータベースに記憶されているタレント等の基礎的なデータは、インターネットを通じて、代理店が属するサーバー側コンピューターによって、売り込み相手である中小企業等（以下適宜、相手企業とも称する。）にもたらされる。従って、上記代理店は本発明の広告活動支援システムの主体として、タレント等のいわば販売会社に相当することになる。上記サーバー側コンピューターは、複数人のタレント等の情報（データ）や処理作業を集中的に管理する手段として機能する。
【００１０】
一方、中小企業等はインターネットを通じて上記サーバー側コンピューターにアクセスし、アクセスを通じてタレントデータベースから必要な情報を得て自社の広告宣伝のために適していると判断されるタレント等を選び出し、最終的には、選ばれた任意のタレント等のデータを自社のホームページにアップロードする。中小企業等におけるサイトへの最初のアクセスから最終のアップロードに至るには上記の操作過程を含む幾つかの過程を経ることになるが、その過程の実行をクライアント側コンピューターが行う。
【００１１】
上記サーバー側コンピューターは、タレントデータベースとともに、タレント動画データベース、タレントブログデータベース又は電子商取引データベースの中から選ばれた１又は２以上のデータベースを備えていることが望ましい。必要最小限度の情報（データ）は、前記必須要件としてのタレントデータベースによって与えられているが、上記各種のデータベースによってタレント等のより深い理解につながり、タレントブログデータベースによってタレントに関する情報交換が行われることになり、また、電子商取引データベースによってタレントとマッチングするクライアントに関する情報交換をすることができる。
【００１２】
また、タレント等の出演価格情報はタレント事務所のみが把握する専権事項であるが、タレント等を採用する相手企業と代理店との間の契約における必要条件でもあるので、契約成立に至る何れかの段階で、相手企業に開示する必要性が生ずる。そこで、本発明においては、認証番号によって管理されたクライアント側コンピューターからアクセスして来た相手企業のみに限定的に、上記出演価格情報を公表することが望ましい。その他の営業上の秘密に属する、例えば公式デビュー等の特別情報についても同様の秘密管理の下に公表することができるものとする。
【００１３】
本発明の広告活動支援システムは、上記のようにサーバー側コンピューターとクライアント側コンピューターとから構成されるいわゆるクライアントサーバーモデルに属するシステムであるといえる。このシステムにおいて特定の役割が集中するのは代理店の属するコンピューターであるのでこれをサーバー側コンピューターと呼び、利用者側としての中小企業等の属する側をクライアント側コンピューターと呼ぶものである。
【発明の効果】
【００１４】
本発明は以上のように構成されかつ作用するものであるから、中小企業等はいまだ名前や顔が知れ渡るに至っていないタレント等を、有名タレント等に必要な費用に対して相対的に安価な費用で起用し、広告宣伝活動を行うことができるとともに、タレント側は通常の活動以外にインターネット上で活動の機会が得られるという、相互に利益を共有し合う広告活動支援システムを提供することができる。また、本発明によれば、インターネット上における広告活動支援システムを通じて、中小企業等のみならずインターネットユーザーが広くクライアントの商品やタレント等に興味を抱く機会を作り出し、上記商品に関する購買意欲を喚起することができるという効果を奏する。
【発明を実施するための最良の形態】
【００１５】
以下図示の実施形態を参照して本発明をより詳細に説明する。図１Ａは本発明に係る中小企業の広告活動支援システム１０の一例を示すもので、１１はいまだ名前や顔が知れ渡るに至っていないタレントや芸能人から成るタレント等を示している。タレント等はタレント事務所に所属している。１２はインターネット、１３はタレント等に関する情報の販売会社である代理店、１４は中小企業等を示しており、前述した約４００万社存在するという企業である。１５はホームページであって、中小企業等１４がインターネット１２上に開設している。図１Ａに示す例では、タレント等１１つまりタレント事務所もインターネットに接続する関係になっており、現実に本発明のシステム１０はこの形態を取ると考えられる（しかし、インターネット以外の手段によって代理店１３に情報を伝えることも除外されている訳ではない）。
【００１６】
１６はサーバーを示しており、サーバー機能を搭載したコンピューターから構成され、クライアントである代理店１３などからの要求に応じて必要なサービスを提供する。上記必要なサービスとしては、保管している情報を提供するファイルサーバー、在庫管理例えばタレント等に関する登録と解除、契約締結ないし契約解除その他の情報の更改の管理、代金引き落とし、或いはプリンターへの印刷経路を提供するプリントサーバー等その他のシステムとの連携などを含む。また、サーバー１６は一般ユーザーつまり中小企業等１４という特定のクライアント以外のユーザーに向けて、後述するタレント等のブログ、タレント事務所の情報、タレントに関するニュースを楽しめるサイトを提供する。
【００１７】
サーバー側コンピューターは、上記タレント等１１をＣＭキャラクターとして売り込むために、必要な情報をデータの形で配置したタレントデータベース１７を備えている。図１Ａでは必要最小限度に近い情報を取り扱うものとしてタレントプロフィルデータベースと記載しているものがこれに当たり、この情報は、例えばタレント等の容姿や特徴などの情報（主としてイメージデータ）に関するもので、写真、似顔絵などの外見上の情報、年齢や特技その他の内面的な情報を内容とする必須不可欠のいわば基礎的なデータを含んでいる。基礎的なデータには、タレント起用に必要な起用価格及び付帯する起用条件を含む。この特別な情報は、タレント事務所に登録されている代理店のみに通達されている、認証番号を通じて得られるようにする。
【００１８】
サーバー側コンピューターは上記の他にも、タレント動画データベース１８、タレントブログデータベース１９又は電子商取引データベース２０などのデータベースを備えているが、全てタレントのデータベースはクローズ度情報として構築されている。サーバー側コンピューターには、タレントの動画出演料などの特別価格情報やその他の情報のデータベースを構築し、タレント事務所から登録されている代理店のみに認証番号を通達し、営業活動に利用できるデータベースも構築されている。
【００１９】
タレント動画データベース１８はタレントの動作等に関する特徴をデータベース化したものであり、タレントブログデータベース１９はタレントに関するブログをデータベース化したものである。上記タレント動画データベース１８は、一般ユーザーも楽しむことができるタレント等１１を起用して作成され、中小企業等１４のプロモーション活動にもなる動画をデータベースとして構築する。また、タレント動画データベース１８及びタレントブログデータベース１９には、これらを閲覧して興味を抱いた一般ユーザー並びにタレントのファンがブログに掲載されている商品等を購入できるように、商品等のデータベースも構築することができる。
【００２０】
クライアントである中小企業等１４は、イメージデータ又はタレント動画その他の情報を、本発明のシステム１０におけるホームページ又は本システム用のサイト上で後述の過程を経てアップロードし、自社製品等の販売促進を図ることになる。中小企業等１４のホームページには、本発明のシステム１０におけるビジネスサイトから、タレント起用動画等を閲覧した一般ユーザーも電子商取引のページを介して流入することがあるので、このルートからも購買に到る可能性がある。
【００２１】
図１Ｂは、本発明のシステム１０によってタレント等が中小企業等１４と契約するに到る流れの概略を示している。事前にタレント事務所は、中小企業等１４が起用し易い価格帯のタレント情報、スケジュール情報を、インターネット１２を通じて提供する。代理店１３はそれらの情報をもとに、中小企業等１４へタレント契約期間を付してアップロード権として販売する。販売価格には、提供されるタレント等１１のギャランティー、動画製作費が含まれる。中小企業等１４が代理店１３に対して支払うべき料金は一括払いのほかにも、分割払い若しくはリース方式を利用可能として、広告宣伝経費によって企業経営が圧迫されないように配慮する。
【００２２】
さらにこのような構成を有する本発明のシステム１０の各部について説明を補足する。図２の１では、タレント等１１と中小企業等１４が共にインターネットサイトを利用可能な状態にあることを示しており、インターネットサイトのそれぞれのトップページは、本発明のシステムを構成する要素を利用するための窓口となっている。上記のシステムを構成する要素は、タレント動画データベース１８、タレントブログデータベース１９、タレント等１１の活動に関する情報コンテンツ及び代理店１３が営業用に利用するタレント等１１の商業価値に関する情報などである。なお、情報の検索には事務所別、性別、ジャンル別などの検索方法を実行することができる。
【００２３】
図２の２では、中小企業等１４はクライアント側コンピューターを操作してサーバー側コンピューターにアクセスし、目的のサイトを閲覧して必要な情報を収集し、中小企業等１４の要求に適合するタレント等１１のブログを集めたページを、例えば第２階層以下に作成する。上記のページの中では、例えば或るタレントがブログ上にて行った業務報告を通じて、報告に現れた商品に関する注文等の成果を得ること、また、商品購入成立数によるインセンティブ制度をタレント側に付与することで、ブログへの書き込みを促進するという相乗効果が期待される。情報の検索にはタレント別、ジャンル別、地域別、５０音別などの検索方法を実行することができる。
【００２４】
図２の３は、タレント等１１と中小企業等１４のマッチングした動画ページにおいて、タレント等を起用したプロモーション動画を作成し集積した状態を示している。このページでは、任意の動画ページの中から興味を引く動画をクリックすることで、タレントが紹介している商品の予約・注文ページに移動することができるものとする。本システム１０に参加している、中小企業等１４のプロモーションページからの商品購入を可能にすることで（図２の４）、どの企業がどのタレントを起用しているかが分かるようになり、企業のイメージアップにつなげられる可能性がある。
【００２５】
図２の５は、タレント事務所側が提供したいと思う情報を書き込める情報メニューを設定することによって、（メディア側の規制を受けない）情報をアップロードすることが可能なシステムにすることができることを示している。このシステムによって、知名度の低いタレントから情報を発信させ、そのタレントを欲するユーザーのニーズに応えることでタレントを開発し、併せて代理店側の営業活動の活性化に資するものとなる。代理店１３が使用するタレント等１１に関する情報ページは、パスワードなどを提携している販売会社のみに発行し、クローズド情報として価値を高める点は既に述べたとおりであるが、本システム上においてはタレント等１１スケジュールの空き対策としての性格もあるため、販売価格を低価格に設定する必要があり、パスワードなどによる保護は守秘性の面からも有効である（図２の６）。
【００２６】
図２の７は、タレントブログデータベースから流入して来た閲覧者に対するもので、タレント等１１はブログ運営会社のブログページを利用していることから、ブログページへの流入者を本システムの動画閲覧に導き、商品購入を促進させることができる例を示す。図２の８は、クライアントの商品情報を掲載したサイトでそこを商品購入の導線とすることを示している。図２の９は、商品予約・注文ページからクライアントの商品購入ページへのリンクを示しており、また、図２の１０は、中小企業等１４の側のページで商品購入及びタレント起用動画をアップロードすることを示している。
【００２７】
本発明のシステム１０について、利用形態の一例を説明すると、まず、代理店１３である販売会社はサーバー側コンピューターにてインターネット１２に接続するとともに、本発明のシステム１０をするために必要なサイトを開設し、一方、中小企業等１４に属する者はクライアント側コンピューターにてインターネット上に自社のホームページ１５を開設するものとする。この環境において、中小企業等１４は代理店１３のサイトにアクセスするとともに、ユーザーＩＤ、パスワード入力等を経て目的のデータベースを閲覧する。代理店１３のサイトにはタレント等１１に関するタレントデータベース１７、タレント動画データベース１８、タレントブログデータベース１９又は電子商取引データベース２０等の情報が提供されており、その中から特定のタレントを選び出し、そのタレントを起用して自社ホームページ用動画を作成するために必要な所要の操作を行う。
【００２８】
トップページにおけるタレント等１１に関する情報は、例えば以下に例示するように、
・販売価格（但し、代理店向けのクローズド情報：この情報を取得するには、タレント事務所に登録されている代理店のみに通達されている、認証番号の入力が必要である。）
Ａコース：ｘｘ万円以上、タレントの顔写真と名前、
Ｂコース：ｙｙ万円、タレントの顔写真と名前、
Ｃコース：ｚｚ万円、タレントの顔写真と名前、
・動画サンプル
サンプルａ：運動器具用コマーシャル動画、
サンプルｂ：健康食品用コマーシャル動画、
サンプルｃ：化粧品用コマーシャル動画、
・上記のタレントに関するブログ、
・タレント等に関するニュース、
・新着記事一覧、
・ショッピング、
等から成っている。
【００２９】
上記において、Ａ〜Ｃの何れかのコース、ａ〜ｃの何れかの動画を指定することで、サイトの動画ページ（第２階層）に移行する。動画ページ（第２階層）では、特定のコースにおいて、特定のタレントを起用したときのコマーシャル動画が、幾通りものストーリーでもって作成されたものが提供されるので、中小企業等１４はそれらのコマーシャル動画の中から自社の宣伝に適したものを選び出す。中小企業等１４がタレントを選出し、どのコマーシャル動画を選択するか決定するまでの間には、同じタレントを起用した他業種のコマーシャル動画の出来映えや、それらのコマーシャル動画に関するブログ記事におけるそのタレントの評判などを参照することができる。その後、特定のタレントを起用したコマーシャル動画の選択を決定したならば、料金支払いを確認して、選択したコマーシャル動画を自社のホームページにアップロードするものである。なお、上記サイトでは中小企業等１４が販売する商品のインターネット販売も行うことができる。
【００３０】
このように本発明のシステムは、タレント事務所から発信されるタレントコンテンツをインターネットのシステムを介して、代理店つまり販売会社へ通知しその情報をもとに代理店が中小企業等へタレント動画等を販売することができるものであり、また、タレント動画データベース、タレントブログデータベース又は電子商取引データベースをインターネット上に構築し、一般の消費者が上記データベースに構築されている動画等のコンテンツを楽しみ電子商取引を促進するものであるということができる。
【図面の簡単な説明】
【００３１】
【図１Ａ】本発明に係る中小企業の広告活動支援システムの一例を示すブロック図による説明図である。
【図１Ｂ】同じくシステム全体を示す概略の説明図である。
【図２】同じく本発明における構成要素と相互の関係を示す説明図である。
【符号の説明】
【００３２】
１０  中小企業の広告活動支援システム
１１  タレント等
１２  インターネット
１３  代理店である販売会社
１４  中小企業等
１５  中小企業等のホームページ
１６  サーバー
１７  タレントデータベース
１８  タレント動画データベース
１９  タレントブログデータベース
２０  電子商取引データベース
【図１Ａ】
2011090644.tif 000003
【図１Ｂ】
2011090644.tif 000004
【図２】
2011090644.tif 000005